(57)【特許請求の範囲】
【請求項１】
入力色の色空間と、出力装置に依存せず且つ色成分の１つとしてシルバー色成分を含んだ装置非依存色空間と、の間での色値の対応関係を表す第１対応関係情報を用いて、入力色の色値を前記装置非依存色空間の色値である装置非依存色値に変換する第１変換手段と、
前記第１変換手段で得られた装置非依存色値を保持する保持手段と、
前記装置非依存色値に含まれるシルバー色成分の値に対する変更指示を受け取り、その変更指示に応じて前記保持手段に保持された前記装置非依存色値におけるシルバー色成分の値を変更するシルバー色成分変更手段と、
前記装置非依存色空間と、出力装置が用いる色材群に依存する装置依存色空間と、の間での色値の対応関係を表す第２対応関係情報を用いて、前記保持手段に保持された前記装置非依存色値を前記装置依存色空間の色値に変換する第２変換手段であって、前記第２対応関係情報は、前記シルバー色成分変更手段により前記装置非依存色空間において増減されたシルバー色成分に対応して、前記装置依存色空間において増減される、シルバー色材が持つ色合いの成分の変化を吸収するように、前記装置依存色空間におけるシルバー色成分以外の各色材成分を変化させるよう作成されたものであることを特徴とする第２変換手段と、
を備える画像処理装置。
【請求項２】
メタリック色出力のオン・オフの指示を受け付けるオン・オフ指示受付手段、を更に備え、
前記第２変換手段は、前記オン・オフ指示受付手段にてメタリック色出力をオフする旨の指示を受け付けた場合に、前記装置非依存色空間と、前記出力装置又はあらかじめ定められた別の出力装置が用いるシルバー色材を含まない色材群に依存する第２の装置依存色空間と、の間での色値の対応関係を表す第３対応関係情報を用いて、前記装置非依存色空間の色値を前記第２の装置依存色空間の色値に変換する、
ことを特徴とする請求項１に記載の画像処理装置。
【請求項３】
前記出力装置での印刷出力に用いられる用紙の種類の情報を受け取る用紙種類受け取り手段、を更に備え、
前記第２対応関係情報は用紙の種類ごとに用意されており、
前記第２変換手段は、前記用紙種類受け取り手段が受け取った用紙の種類に対応する前記第２対応関係情報を用いて、前記装置非依存色値を前記装置依存色空間の色値に変換する、
ことを特徴とする請求項１又は２に記載の画像形成装置。
【請求項４】
コンピュータを、
入力色の色空間と、出力装置に依存せず且つ色成分の１つとしてシルバー色成分を含んだ装置非依存色空間と、の間での色値の対応関係を表す第１対応関係情報を用いて、入力色の色値を前記装置非依存色空間の色値である装置非依存色値に変換する第１変換手段、
前記第１変換手段で得られた装置非依存色値を保持する保持手段、
前記装置非依存色値に含まれるシルバー色成分の値に対する変更指示を受け取り、その変更指示に応じて前記保持手段に保持された前記装置非依存色値におけるシルバー色成分の値を変更するシルバー色成分変更手段、
前記装置非依存色空間と、出力装置が用いる色材群に依存する装置依存色空間と、の間での色値の対応関係を表す第２対応関係情報を用いて、前記保持手段に保持された前記装置非依存色値を前記装置依存色空間の色値に変換する第２変換手段であって、前記第２対応関係情報は、前記シルバー色成分変更手段により前記装置非依存色空間において増減されたシルバー色成分に対応して、前記装置依存色空間において増減される、シルバー色材が持つ色合いの成分の変化を吸収するように、前記装置依存色空間におけるシルバー色成分以外の各色材成分を変化させるよう作成されたものであることを特徴とする第２変換手段、
として機能させるためのプログラム。
【発明の詳細な説明】
【技術分野】
【０００１】
本発明は、画像処理装置及びプログラムに関する。
【背景技術】
【０００２】
下地のシルバー色トナーの上にプロセスカラートナー（Ｃ：シアン、Ｍ：マゼンタ、Ｙ：イエロー、Ｋ：ブラック等）を重ねて印刷することで、金色その他のメタリックカラーを再現することが行われている。
【０００３】
特許文献１には、メタリックカラーの特色の色値を、ルックアップテーブル等の特色変換部により、シルバー等のメタリックトナー（Ｓ）とプロセスカラートナー（Ｃ、Ｍ、Ｙ、Ｋ）の色信号であるＣＭＹＫＳ色信号に変換し、この色信号によりプリンタの各トナーの現像部を駆動することが記載されている（特に同文献の段落００４６）。
【０００４】
ところで、メタリックカラーの下地に使うシルバートナーは、現実には色度成分を含んでいる。このため、メタリックカラーの印刷において試し刷り等を見てメタリック度合いを変更する必要が出てきた場合等に、色信号におけるシルバー値を変更すると、印刷結果の色合い（色相）が変化してしまう。
【先行技術文献】
【特許文献】
【０００５】
【特許文献１】特開２００６−０５０３４７号公報
【発明の概要】
【発明が解決しようとする課題】
【０００６】
本発明は、印刷対象の色のシルバー成分の値を変更しても、変更後の色の色合いが変化しないようにすることを目的とする。
【課題を解決するための手段】
【０００７】
請求項１に係る発明は、入力色の色空間と、出力装置に依存せず且つ色成分の１つとしてシルバー色成分を含んだ装置非依存色空間と、の間での色値の対応関係を表す第１対応関係情報を用いて、入力色の色値を前記装置非依存色空間の色値である装置非依存色値に変換する第１変換手段と、前記第１変換手段で得られた装置非依存色値を保持する保持手段と、前記装置非依存色値に含まれるシルバー色成分の値に対する変更指示を受け取り、その変更指示に応じて前記保持手段に保持された前記装置非依存色値におけるシルバー色成分の値を変更するシルバー色成分変更手段と、前記装置非依存色空間と、出力装置が用いる色材群に依存する装置依存色空間と、の間での色値の対応関係を表す第２対応関係情報を用いて、前記保持手段に保持された前記装置非依存色値を前記装置依存色空間の色値に変換する第２変換手段であって、前記第２対応関係情報は、前記シルバー色成分変更手段により前記装置非依存色空間において増減されたシルバー色成分に対応して、前記装置依存色空間において増減される、シルバー色材が持つ色合いの成分の変化を吸収するように、前記装置依存色空間におけるシルバー色成分以外の各色材成分を変化させるよう作成されたものであることを特徴とする第２変換手段と、を備える画像処理装置である。
【０００８】
請求項２に係る発明は、メタリック色出力のオン・オフの指示を受け付けるオン・オフ指示受付手段、を更に備え、前記第２変換手段は、前記オン・オフ指示受付手段にてメタリック色出力をオフする旨の指示を受け付けた場合に、前記装置非依存色空間と、前記出力装置又はあらかじめ定められた別の出力装置が用いるシルバー色材を含まない色材群に依存する第２の装置依存色空間と、の間での色値の対応関係を表す第３対応関係情報を用いて、前記装置非依存色空間の色値を前記第２の装置依存色空間の色値に変換する、ことを特徴とする請求項１に記載の画像処理装置である。
【０００９】
請求項３に係る発明は、前記出力装置での印刷出力に用いられる用紙の種類の情報を受け取る用紙種類受け取り手段、を更に備え、前記第２対応関係情報は用紙の種類ごとに用意されており、前記第２変換手段は、前記用紙種類受け取り手段が受け取った用紙の種類に対応する前記第２対応関係情報を用いて、前記装置非依存色値を前記装置依存色空間の色値に変換する、ことを特徴とする請求項１又は２に記載の画像形成装置である。
【００１０】
請求項４に係る発明は、コンピュータを、入力色の色空間と、出力装置に依存せず且つ色成分の１つとしてシルバー色成分を含んだ装置非依存色空間と、の間での色値の対応関係を表す第１対応関係情報を用いて、入力色の色値を前記装置非依存色空間の色値である装置非依存色値に変換する第１変換手段、前記第１変換手段で得られた装置非依存色値を保持する保持手段、前記装置非依存色値に含まれるシルバー色成分の値に対する変更指示を受け取り、その変更指示に応じて前記保持手段に保持された前記装置非依存色値におけるシルバー色成分の値を変更するシルバー色成分変更手段、前記装置非依存色空間と、出力装置が用いる色材群に依存する装置依存色空間と、の間での色値の対応関係を表す第２対応関係情報を用いて、前記保持手段に保持された前記装置非依存色値を前記装置依存色空間の色値に変換する第２変換手段であって、前記第２対応関係情報は、前記シルバー色成分変更手段により前記装置非依存色空間において増減されたシルバー色成分に対応して、前記装置依存色空間において増減される、シルバー色材が持つ色合いの成分の変化を吸収するように、前記装置依存色空間におけるシルバー色成分以外の各色材成分を変化させるよう作成されたものであることを特徴とする第２変換手段、として機能させるためのプログラムである。
【発明の効果】
【００１１】
請求項１又は４に係る発明によれば、印刷対象の色のシルバー成分の値を変更しても、変更後の色の色合いが変化しないようにすることができる。
【００１２】
請求項２に係る発明によれば、シルバー色材を用いないで印刷を行う場合に、元のメタリック色と同じ色合いの印刷結果を得ることができる。
【００１３】
請求項３に係る発明によれば、印刷に用いる用紙の種類によらず印刷結果における色合いを維持し、かつ印刷対象の色のシルバー成分の値を変更しても、変更後の色の色合いが変化しないようにすることができる。
【図面の簡単な説明】
【００１４】
【図１】実施形態の画像処理装置の一例を示す図である。
【図２】変形例の装置構成を示す図である。
【図３】第２の変形例の装置構成を示す図である。
【発明を実施するための形態】
【００１５】
図１を参照して、本発明の実施形態の画像処理装置の一例を説明する。
【００１６】
図１に例示する画像処理装置において、画像入力部１０は、印刷出力の対象となる画像データの入力を受け付ける。ここで、入力される画像データには、ＣＭＹＫやＲＧＢ（レッド、グリーン、ブルー）といった原色成分の組合せで表される色の部分の他に、メタリック色の特色で表される部分が含まれているとする。メタリック色、すなわち金属光沢を持つ色には様々な種類があり、例えばＰＡＮＴＯＮＥ（登録商標）社も様々なメタリック色を規定している。本実施形態では、色味の少ないシルバー（以下「Ｓｉ」と略す）色の色材（トナー又はインク等の色表現用の材料）の上に、ＣＭＹＫ等のプロセス色で表現される色を重ねることで、様々なメタリック色を表現する。このようなメタリック色は、プロセス色ではなく、特色（例えばＰＡＮＴＯＮＥの色番号で表現される）として指定されることが多い。ここで、メタリック色の特色をそのまま印刷するなら特に問題はないが、その特色の金属光沢の度合いを変更しようとした場合、印刷装置２４が用いる実際のＳｉ（シルバー）トナーは色味を持っているので、Ｓｉ成分の値を単に増減しただけではメタリック色の色合い（色相）が変化してしまう。そこで、本実施形態では、以下に説明する構成要素群を用いることで、色合いを変化させずにメタリック色の光沢の程度を変化させる。
【００１７】
まず、装置非依存色変換部１２は、画像データのうちの少なくともメタリック色の色値を、印刷装置２４や表示装置２８等の画像出力装置に依存しない色空間である装置非依存（「デバイスインディペンデント」とも呼ばれる）色空間の色値に変換する。ここでは、装置非依存色空間として、メタリック色をＣＩＥ（国際照明委員会）のＬ*ａ*ｂ*（以下、繁雑さを避けるため「Ｌａｂ」と表記する）色空間をベースとし、これにＳｉ成分を加えたＬａｂＳｉ色空間を用いる。なお、ＬａｂＳｉ色空間はあくまで一例であり、ＸＹＺ色空間など他の装置非依存色空間にＳｉ成分を加えたものを用いてもよい。
【００１８】
特色・ＬａｂＳｉ変換テーブル１４は、特色（メタリック色）を指定する色値（例えばＰＡＮＴＯＮＥの色番号）と、その特色をＬａｂＳｉ空間で表現した時の色値（Ｌ*，ａ*，ｂ*，Ｓｉ）との対応関係を記憶した記憶装置である。このテーブルは、各メタリック色の色見本を測色計で測色する等の手法であらかじめ作成されたものである。装置非依存色変換部１２は、入力された画像データに含まれるメタリック色を、特色・ＬａｂＳｉ変換テーブル１４を参照して、ＬａｂＳｉ色空間での色値に変換する。
【００１９】
なお、装置非依存色変換部１２は、メタリック色でない特色や、ＣＭＹＫやＲＧＢ等で表されたプロセス色についても、装置非依存色空間（この例ではＬａｂＳｉ）の色値に変換してもよい。この場合、メタリック色でない色はＳｉ成分の値が０の装置非依存色に変換される。メタリック色でない色を装置非依存色空間へと変換する処理は周知なので、これ以上の説明は省略する。
【００２０】
装置非依存色変換部１２によりＬａｂＳｉへと色空間変換された画像データは、変換結果保持部１６にいったん保持される。
【００２１】
Ｓｉ変更指示受付部１８は、変換結果保持部１６に保持された画像データに対するユーザからのＳｉ量の変更指示を受け付ける。Ｓｉ量の変更は、例えば、画像に含まれるオブジェクト（画像を構成する文字や図形等の要素）ごと、あるいは画像に含まれる色ごとに指示される。例えばユーザが表示装置２８に表示された画像データを見ながら、Ｓｉ量を変更したい部分をマウス等により指し示すと、Ｓｉ変更指示受付部１８は、指し示された点を含んだオブジェクト、又はその点と同じ色値（ＬａｂＳｉ値）を持つ画像の部分が変更対象として選択される。そして、その点のＬａｂＳｉの各成分の値を画面表示し、表示しているＳｉ値について値の増減の指示を受け付ける。この指示に応じて、変換結果保持部１６に保持された画像データのうち、変更対象として選択された部分のＳｉ成分の値が変更される。
【００２２】
変換結果保持部１６に保持された画像データを印刷装置２４で印刷する場合、印刷装置依存色変換部２０が、その画像データを、印刷装置２４に依存する色空間、すなわち印刷装置２４が印刷に用いる色材に依存した色空間である装置依存色空間へと色空間変換する。印刷装置２４は、プロセス色の色材と、金属光沢用のシルバー色の色材と、を用いて印刷を行う。プロセス色としてはＣＭＹＫの４色が一般的なので、以下では印刷装置２４はＣＭＹＫとＳｉの５色の色材を用いる装置であるとして説明する。すなわち、この場合、装置依存色空間はＣＭＹＫＳｉの５つの色成分からなる。ただしこれは一例に過ぎず、印刷装置２４は５色以上のプロセス色とシルバー色の色材を用いるものであってもよい。
【００２３】
ＬａｂＳｉ・ＣＭＹＫＳｉ変換テーブル２２は、同じ色を装置非依存色空間ＬａｂＳｉで表現した場合の色値と装置依存色空間ＣＭＹＫＳｉで表現した場合の色値との間の対応関係の情報を保持するテーブルである。ＬａｂＳｉ・ＣＭＹＫＳｉ変換テーブル２２は、例えばダイレクトルックアップテーブル（ＤＬＵＴ）として構成される。この変換テーブル２２において、Ｓｉ色材の持つ色合いはＣＭＹＫＳｉ値のＣＭＹＫの各成分により吸収される。すなわち、Ｓｉ成分を増減させた場合、ＬａｂＳｉ空間ではＳｉ成分のみが変化するのに対し、ＣＭＹＫＳｉ空間ではＳｉ成分だけでなくＣＭＹＫのうちの一以上の成分が変化する。印刷装置２４のメーカー等は、代表的なＬａｂＳｉ値（ＬａｂＳｉ空間の格子点等）を再現するＣＭＹＫＳｉの各色材成分の組合せを実験等で求め、ＬａｂＳｉ・ＣＭＹＫＳｉ変換テーブル２２を作成しておけばよい。
【００２４】
印刷装置依存色変換部２０は、ＬａｂＳｉ・ＣＭＹＫＳｉ変換テーブル２２を参照して、画像データ内の個々の色のＬａｂＳｉ値をＣＭＹＫＳｉ値に変換する。このとき、ＬａｂＳｉ・ＣＭＹＫＳｉ変換テーブル２２にデータがないＬａｂＳｉ値については、その値の近傍の、テーブル２２にデータがあるＬａｂＳｉ値についてのデータからの補間によりＣＭＹＫＳｉ値を求める。前述の通り、ＬａｂＳｉ・ＣＭＹＫＳｉ変換テーブル２２は、Ｓｉ色材が持つ色合いのＳｉ量に応じた変化を、各Ｓｉ量に対応するＣＭＹＫ成分で吸収するように構成されている。このため、Ｓｉ変更指示受付部１８に対する指示によりあるメタリック色のＳｉ成分が変更されても、印刷装置依存色変換部２０による変換により得られるＣＭＹＫＳｉ値の表す色の持つ色合いは、Ｓｉ成分変更前の当該色の色合いと同じになる。
【００２５】
なお、図１にはＬａｂＳｉ・ＣＭＹＫＳｉ変換テーブル２２を１つしか示していないが、画像処理装置は、接続される可能性がある印刷装置ごとに、その印刷装置の色材等の色出力特性に応じたＬａｂＳｉ・ＣＭＹＫＳｉ変換テーブル２２を備えていてもよい。そして、印刷装置依存色変換部２０は、ユーザが選択した出力先の印刷装置に対応するＬａｂＳｉ・ＣＭＹＫＳｉ変換テーブル２２を用いて色空間変換を行う。
【００２６】
また、この画像処理装置は、変換結果保持部１６に保持される画像データを表示する表示装置２８を備える。表示装置２８での表示のために、表示装置依存色変換部２６は、印刷装置依存色変換部２０の出力であるＣＭＹＫＳｉ値を、表示装置２８が用いる表示装置依存の色空間（ここではＲＧＢとするが、これに限らない）の色値に変換する。この変換は、例えば、まずＣＭＹＫＳｉ値を装置非依存色空間での色値（ＬａｂＳｉ値）に変換し、この変換結果のＬａｂＳｉ値を表示装置２８に依存したＲＧＢ値に変換することで行えばよい。これら個々の変換には、あらかじめ用意したルックアップテーブルを用いればよい。また、このように２段階の変換を行うのではなく、ＣＭＹＫＳｉ値からＲＧＢ値へと直接変換してもよい。
【００２７】
また、表示用の画像データを得る方法として、ＣＭＹＫＳｉ値からＲＧＢ値に変換する代わりに、変換結果保持部１６に保持される画像データのＬａｂＳｉ値をＲＧＢ値に変換する方式を採用してもよい。
【００２８】
以上では、特色として指定されたメタリック色のＳｉ量を変化させる場合の例を示したが、本実施形態の方式は、ＣＭＹＫＳｉ等のような特色以外の色空間で指定されたメタリック色のＳｉ量を変化させる場合にも同様に適用可能である。この場合、メタリック色を表す色空間の色値をＬａｂＳｉ値へと変換するための変換テーブルを用いて色空間変換を行えばよい。ＬａｂＳｉ値へと変換した後の処理は、上記実施形態の場合と同様である。
【００２９】
また、メタリック色以外の色に対して金属光沢を付加する場合にも、本実施形態の方式は適用可能である。この場合、例えばＣＭＹＫ値で表された金属光沢のない色を装置非依存色変換部１２によりＬａｂＳｉ値（この場合Ｓｉ成分は０となる）に変換し、変換結果のＬａｂＳｉ値のＳｉ成分の値をＳｉ変更指示受付部１８に対する変更指示により増やすことで、その色に金属光沢が付加される。そして、Ｓｉ成分増加後の色を印刷装置依存色変換部２０で印刷装置２４のＣＭＹＫＳｉ値に変換することで、元の色合いを維持したまま、金属光沢が付加された色が得られる。
【００３０】
以上に説明した実施形態の画像処理装置の処理についての具体例を以下に示す。
【００３１】
まず、第１の例として、（Ｃ，Ｍ，Ｙ，Ｋ，Ｓｉ）＝（４０，２０，０，４０，８０）というＣＭＹＫＳｉ空間で表現される入力色に対し、Ｓｉ成分を８０から１００に増加させる例を示す。ここで、４０，２０等の数値は、各色成分の最大濃度を１００％とした場合の、当該色成分の濃度のパーセンテージである。この場合、実施形態の画像処理装置では、装置非依存色変換部１２が、ＣＭＹＫＳｉからＬａｂＳｉへの変換テーブル（テーブル１４に対応するもの）を用いて、その入力色をＬａｂＳｉ値に変換し、変換結果保持部１６にいったん保持する。ユーザが、Ｓｉ変更指示受付部１８を介して、Ｓｉ成分８０を１００に変更する指示を入力すると、この指示に応じて変換結果保持部１６に保持されるＬａｂＳｉ値のＳｉ成分の値が１００に変更される。例えば出力指示が入力されると、印刷装置依存色変換部２０が、そのＳｉ成分が１００に変更された後のＬａｂＳｉ値を、ＬａｂＳｉ・ＣＭＹＫＳｉ変換テーブル２２を用いて、印刷装置２４に適合したＣＭＹＫＳｉ値に変換し、印刷装置２４に出力する。この例では、この変換後の色値は、（Ｃ，Ｍ，Ｙ，Ｋ，Ｓｉ）＝（４０，２０，５，４２，１００）となる。この例では、Ｓｉ成分の増加による色合いの変化を補償するために、Ｙ成分及びＫ成分がそれぞれ異なる比率で増やされていることが分かる。なお、当然ながら、この例は、特定の印刷装置２４についてのものであって、一般的なものではない。
【００３２】
第２の例として、（Ｃ，Ｍ，Ｙ，Ｋ，Ｓｉ）＝（７０，２０，１００，４０，８０）というＣＭＹＫＳｉ空間で表現される入力色に対し、Ｓｉ成分を８０％から４０％に減少させる例を示す。この場合も、上記第１の色についての例と同様の仕組みにより、Ｓｉ成分を８０％から４０％へ変更した場合の印刷装置２４向けの色値として、（Ｃ，Ｍ，Ｙ，Ｋ，Ｓｉ）＝（４３，２０，９０，６０，４０）が求められる。この例では、Ｓｉ成分の比較的大きな減少に応じて、Ｃ成分及びＹ成分が減少し、Ｋ成分が増加する。
【００３３】
第３の例として、Ｓｉ成分を含まない色に対してＳｉ成分を追加する場合の例を示す。この例では、（Ｃ，Ｍ，Ｙ，Ｋ，Ｓｉ）＝（０，７０，４０，１００，０）というＣＭＹＫ空間（Ｓｉ成分は０）で表現される入力色に対し、１００％のＳｉ成分を追加する指示がＳｉ変更指示受付部１８に対してユーザから入力されたとする。この場合、上記第１の色についての例と同様の仕組みにより、Ｓｉ成分を１００％へ変更した場合の印刷装置２４向けの色値として、（Ｃ，Ｍ，Ｙ，Ｋ，Ｓｉ）＝（０，７０，４５，５０，１００）が求められる。この例では、１００％のＳｉ成分の追加に応じて、Ｙ成分が増加し、Ｋ成分が減少する。
【００３４】
以上に挙げた具体例の処理のためには、ＣＭＹＫＳｉからＬａｂＳｉへの変換テーブル（テーブル１４に対応）と、ＬａｂＳｉ・ＣＭＹＫＳｉ変換テーブル２２とが必要である。これら変換テーブルは、例えば、Ｃ，Ｍ，Ｙ，Ｋ，Ｓｉの各成分の値を段階的（例えば１０％ずつ）に様々に変えた色値（Ｃ，Ｍ，Ｙ，Ｋ，Ｓｉ）毎に、その色値を示すパッチを印刷したパッチチャートを作成し、そのパッチチャート上の各パッチを測色する（この測色により各パッチのＬａｂＳｉ値が求められる）ことで、作成すればよい。なお、画像処理装置に対する入力色のＣＭＹＫ色空間が、印刷装置２４のＣＭＹＫ色空間と同じものである場合は、ＣＭＹＫＳｉからＬａｂＳｉへの変換テーブル（テーブル１４に対応）と、ＬａｂＳｉ・ＣＭＹＫＳｉ変換テーブル２２とは、同一のものとなる（すなわち、１つのテーブルで兼用可能）。 
【００３５】
次に、図２を参照して、変形例を説明する。図２において、図１に示す要素と同様の要素には同一符号を付して説明を省略する。
【００３６】
図２に例示する画像処理装置は、図１に例示した装置に対してＳｉオン・オフ入力部３０とＬａｂＳｉ・ＣＭＹＫ変換テーブル２３を追加したものである。
【００３７】
Ｓｉオン・オフ入力部３０は、ユーザから、印刷においてＳｉ色材を用いるか否かの指示の入力を受け付ける。例えば、本番の印刷ではＳｉ色材を用いるが、カンプ出力ではコスト削減等のためにＳｉ色材を用いずに印刷する場合がある。Ｓｉオン・オフ入力部３０は、このような場合に対応するためのものである。
【００３８】
ＬａｂＳｉ・ＣＭＹＫ変換テーブル２３は、ＬａｂＳｉ値と同じ色合いの印刷装置２４依存のＣＭＹＫ値との対応関係を表すテーブルである。このテーブルも実験等でＬａｂＳｉ値と同じ色合いを持つＣＭＹＫ成分の組合せを求める等により作成しておけばよい。
【００３９】
Ｓｉオン・オフ入力部３０に対してＳｉをオンする（すなわちＳｉ色材を用いて印刷する）旨の指示が入力された場合、印刷装置依存色変換部２０は、前述の実施形態と同様、ＬａｂＳｉ・ＣＭＹＫＳｉ変換テーブル２２を用いて、変換結果保持部１６内の画像データの色空間変換を行う。
【００４０】
これに対し、Ｓｉオン・オフ入力部３０に対してＳｉをオフする（すなわちＳｉ色材を用いずに印刷する）旨の指示が入力された場合、印刷装置依存色変換部２０は、ＬａｂＳｉ・ＣＭＹＫ変換テーブル２３を用いて、変換結果保持部１６内の画像データの色空間変換を行う。これにより、ＬａｂＳｉ値が示す色と同じ色合いを持つＣＭＹＫ値が求められる。この変換結果を印刷装置２４で印刷することで、元のメタリック色と同じ色合いでＳｉを含まない色が印刷されることになる。
【００４１】
なお、カンプ印刷（Ｓｉ不使用）と本番の印刷（Ｓｉ使用）とで、用いる印刷装置が異なる場合もある。この場合、ＬａｂＳｉ・ＣＭＹＫ変換テーブル２３のＣＭＹＫ値はカンプ印刷用の印刷装置の色空間に対応したものであり、ＬａｂＳｉ・ＣＭＹＫＳｉ変換テーブル２２のＣＭＹＫＳｉ値は本番印刷用の印刷装置の色空間に対応したものである。
【００４２】
また、この変形例におけるＳｉのオン・オフは、画像データ中のオブジェクトやメタリック色ごとに指示できるようにしてもよい。例えば、画像データ中にメタリック色のオブジェクトが２以上存在する場合に、そのうちの１つはＳｉをオンとし、他のものはＳｉをオフする等といった区別を行うなどである。
【００４３】
次に、図３を参照して、第２の変形例を説明する。図３において、図１に示す要素と同様の要素には同一符号を付して説明を省略する。図３に例示する画像処理装置は、用紙の種類を考慮したものである。
【００４４】
用紙は、紙質等の特性に応じた特有の色合いを持っており、この用紙自体の色合いが印刷結果の画像の色合いに影響をもたらす。この第２の変形例では、メタリック色の色再現において用紙の種類によらず同じ色合いを実現する。
【００４５】
このために、この変形例の装置は、ＬａｂＳｉ・ＣＭＹＫＳｉ変換テーブル２２を用紙種類ごとに有する。図３では、用紙種類Ａ、Ｂ、Ｃのそれぞれに対して用紙種類Ａ用、Ｂ用、Ｃ用のＬａｂＳｉ・ＣＭＹＫＳｉ変換テーブル２２Ａ、Ｂ、Ｃが用意されている（もちろんこれは一例に過ぎず、用紙種類は３種類に限られるものではない）。
【００４６】
用紙種類判別部３２は、印刷に使用する用紙の種類を判別する手段であり、例えばホスト装置（図示省略）から入力された印刷データに含まれる用紙指定の情報等から使用される用紙種類を求める。
【００４７】
印刷装置依存色変換部２０は、用紙種類判別部３２が判別した用紙種類に対応するＬａｂＳｉ・ＣＭＹＫＳｉ変換テーブル２２Ａ、Ｂ又はＣを用いて、変換結果保持部１６内の画像データの色空間変換を行う。これにより、判別された種類の用紙で印刷した場合に、ＬａｂＳｉ値が示す色と同じ色合いを持つＣＭＹＫＳｉ値が求められ、印刷装置２４に提供される。
【００４８】
以上に例示した画像形成装置の情報処理機能部分（印刷装置２４及び表示装置２８以外の機能モジュール群）は、例えば、汎用のコンピュータに当該装置の各機能モジュールの処理を表すプログラムを実行させることにより実現される。ここで、コンピュータは、例えば、ハードウエアとして、ＣＰＵ等のマイクロプロセッサ、ランダムアクセスメモリ（ＲＡＭ）およびリードオンリメモリ（ＲＯＭ）等のメモリ（一次記憶）、ＨＤＤ（ハードディスクドライブ）を制御するＨＤＤコントローラ、各種Ｉ／Ｏ（入出力）インタフェース、ローカルエリアネットワークなどのネットワークとの接続のための制御を行うネットワークインタフェース等が、たとえばバスを介して接続された回路構成を有する。また、そのバスに対し、例えばＩ／Ｏインタフェース経由で、ＣＤやＤＶＤなどの可搬型ディスク記録媒体に対する読み取り及び／又は書き込みのためのディスクドライブ、フラッシュメモリなどの各種規格の可搬型の不揮発性記録媒体に対する読み取り及び／又は書き込みのためのメモリリーダライタ、などが接続されてもよい。上に例示した各機能モジュールの処理内容が記述されたプログラムがＣＤやＤＶＤ等の記録媒体を経由して、又はネットワーク等の通信手段経由で、ハードディスクドライブ等の固定記憶装置に保存され、コンピュータにインストールされる。固定記憶装置に記憶されたプログラムがＲＡＭに読み出されＣＰＵ等のマイクロプロセッサにより実行されることにより、上に例示した機能モジュール群が実現される。
【符号の説明】
【００４９】
１０  画像入力部、１２  装置非依存色変換部、１４  特色・ＬａｂＳｉ変換テーブル、１６  変換結果保持部、１８  変更指示受付部、２０  印刷装置依存色変換部、２２  ＬａｂＳｉ・ＣＭＹＫＳｉ変換テーブル、２３  ＬａｂＳｉ・ＣＭＹＫ変換テーブル、２４  印刷装置、２６  表示装置依存色変換部、２８  表示装置、３０  Ｓｉオン・オフ入力部、３２  用紙種類判別部。
【図１】
0005915302.tif 000002
【図２】
0005915302.tif 000003
【図３】
0005915302.tif 000004